【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
各ピクチャを分割したブロック単位で動きベクトルを用いて動画像が符号化された符号化ビット列を復号する動画像復号装置であって、
予測動きベクトル候補リストにおける選択すべき予測動きベクトルのインデックスを示す情報を復号する復号部と、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成部と、
所定の条件を満たす前記第１、第２及び第３の予測動きベクトル候補を予測動きベクトル候補リストに登録する予測動きベクトル候補登録部と、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限部と、
復号された前記選択すべき予測動きベクトルのインデックスを示す情報に基づいて、前記予測動きベクトル候補リストから、前記復号対象ブロックの予測動きベクトルを選択する予測動きベクトル選択部と
を備え、
前記予測動きベクトル候補制限部は、前記予測動きベクトル候補登録部により生成された前記予測動きベクトル候補リストから所定数を超える予測動きベクトル候補を削除することを特徴とする動画像復号装置。
【請求項２】
各ピクチャを分割したブロック単位で動きベクトルを用いて動画像が符号化された符号化ビット列を復号する動画像復号方法であって、
予測動きベクトル候補リストにおける選択すべき予測動きベクトルのインデックスを示す情報を復号する復号ステップと、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、
所定の条件を満たす前記第１、第２及び第３の予測動きベクトル候補を予測動きベクトル候補リストに登録する予測動きベクトル候補登録ステップと、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、
復号された前記選択すべき予測動きベクトルのインデックスを示す情報に基づいて、前記予測動きベクトル候補リストから、前記復号対象ブロックの予測動きベクトルを選択する予測動きベクトル選択ステップと
を有し、
前記予測動きベクトル候補制限ステップは、前記予測動きベクトル候補登録ステップにより生成された前記予測動きベクトル候補リストから所定数を超える予測動きベクトル候補を削除することを特徴とする動画像復号方法。
【請求項３】
各ピクチャを分割したブロック単位で動きベクトルを用いて動画像が符号化された符号化ビット列を復号する動画像復号プログラムであって、
予測動きベクトル候補リストにおける選択すべき予測動きベクトルのインデックスを示す情報を復号する復号ステップと、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、
所定の条件を満たす前記第１、第２及び第３の予測動きベクトル候補を予測動きベクトル候補リストに登録する予測動きベクトル候補登録ステップと、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、
復号された前記選択すべき予測動きベクトルのインデックスを示す情報に基づいて、前記予測動きベクトル候補リストから、前記復号対象ブロックの予測動きベクトルを選択する予測動きベクトル選択ステップと
をコンピュータに実行させ、
前記予測動きベクトル候補制限ステップは、前記予測動きベクトル候補登録ステップにより生成された前記予測動きベクトル候補リストから所定数を超える予測動きベクトル候補を削除することを特徴とする動画像復号プログラム。
【請求項４】
動画像が符号化された符号化ビット列を受信して復号する受信装置であって、
各ピクチャを分割したブロック単位で動きベクトルを用いて動画像が符号化された符号化ビット列がパケット化された符号化データを受信する受信部と、
受信された前記符号化データをパケット処理して元の符号化ビット列を復元する復元部と、
復元された符号化ビット列から、予測動きベクトル候補リストにおける選択すべき予測動きベクトルのインデックスを示す情報を復号する復号部と、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成部と、
所定の条件を満たす前記第１、第２及び第３の予測動きベクトル候補を予測動きベクトル候補リストに登録する予測動きベクトル候補登録部と、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限部と、
復号された前記選択すべき予測動きベクトルのインデックスを示す情報に基づいて、前記予測動きベクトル候補リストから、前記復号対象ブロックの予測動きベクトルを選択する予測動きベクトル選択部と
を備え、
前記予測動きベクトル候補制限部は、前記予測動きベクトル候補登録部により生成された前記予測動きベクトル候補リストから所定数を超える予測動きベクトル候補を削除することを特徴とする受信装置。
【請求項５】
動画像が符号化された符号化ビット列を受信して復号する受信方法であって、
各ピクチャを分割したブロック単位で動きベクトルを用いて動画像が符号化された符号化ビット列がパケット化された符号化データを受信する受信ステップと、
受信された前記符号化データをパケット処理して元の符号化ビット列を復元する復元ステップと、
復元された符号化ビット列から、予測動きベクトル候補リストにおける選択すべき予測動きベクトルのインデックスを示す情報を復号する復号ステップと、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、
所定の条件を満たす前記第１、第２及び第３の予測動きベクトル候補を予測動きベクトル候補リストに登録する予測動きベクトル候補登録ステップと、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、
復号された前記選択すべき予測動きベクトルのインデックスを示す情報に基づいて、前記予測動きベクトル候補リストから、前記復号対象ブロックの予測動きベクトルを選択する予測動きベクトル選択ステップと
を有し、
前記予測動きベクトル候補制限ステップは、前記予測動きベクトル候補登録ステップにより生成された前記予測動きベクトル候補リストから所定数を超える予測動きベクトル候補を削除することを特徴とする受信方法。
【請求項６】
動画像が符号化された符号化ビット列を受信して復号する受信プログラムであって、
各ピクチャを分割したブロック単位で動きベクトルを用いて動画像が符号化された符号化ビット列がパケット化された符号化データを受信する受信ステップと、
受信された前記符号化データをパケット処理して元の符号化ビット列を復元する復元ステップと、
復元された符号化ビット列から、予測動きベクトル候補リストにおける選択すべき予測動きベクトルのインデックスを示す情報を復号する復号ステップと、
復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、
所定の条件を満たす前記第１、第２及び第３の予測動きベクトル候補を予測動きベクトル候補リストに登録する予測動きベクトル候補登録ステップと、
前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、
復号された前記選択すべき予測動きベクトルのインデックスを示す情報に基づいて、前記予測動きベクトル候補リストから、前記復号対象ブロックの予測動きベクトルを選択する予測動きベクトル選択ステップと
をコンピュータに実行させ、
前記予測動きベクトル候補制限ステップは、前記予測動きベクトル候補登録ステップにより生成された前記予測動きベクトル候補リストから所定数を超える予測動きベクトル候補を削除することを特徴とする受信プログラム。
【手続補正２】
【補正対象書類名】明細書
【補正対象項目名】００１０
【補正方法】変更
【補正の内容】
【００１０】
各ピクチャを分割したブロック単位で動きベクトルを用いて動画像が符号化された符号化ビット列を復号する動画像復号装置であって、予測動きベクトル候補リストにおける選択すべき予測動きベクトルのインデックスを示す情報を復号する復号部と、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成部と、所定の条件を満たす前記第１、第２及び第３の予測動きベクトル候補を予測動きベクトル候補リストに登録する予測動きベクトル候補登録部と、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限部と、復号された前記選択すべき予測動きベクトルのインデックスを示す情報に基づいて、前記予測動きベクトル候補リストから、前記復号対象ブロックの予測動きベクトルを選択する予測動きベクトル選択部とを備え、前記予測動きベクトル候補制限部は、前記予測動きベクトル候補登録部により生成された前記予測動きベクトル候補リストから所定数を超える予測動きベクトル候補を削除することを特徴とする動画像復号装置を提供する。
各ピクチャを分割したブロック単位で動きベクトルを用いて動画像が符号化された符号化ビット列を復号する動画像復号方法であって、予測動きベクトル候補リストにおける選択すべき予測動きベクトルのインデックスを示す情報を復号する復号ステップと、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、所定の条件を満たす前記第１、第２及び第３の予測動きベクトル候補を予測動きベクトル候補リストに登録する予測動きベクトル候補登録ステップと、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、復号された前記選択すべき予測動きベクトルのインデックスを示す情報に基づいて、前記予測動きベクトル候補リストから、前記復号対象ブロックの予測動きベクトルを選択する予測動きベクトル選択ステップとを有し、前記予測動きベクトル候補制限ステップは、前記予測動きベクトル候補登録ステップにより生成された前記予測動きベクトル候補リストから所定数を超える予測動きベクトル候補を削除することを特徴とする動画像復号方法を提供する。
各ピクチャを分割したブロック単位で動きベクトルを用いて動画像が符号化された符号化ビット列を復号する動画像復号プログラムであって、予測動きベクトル候補リストにおける選択すべき予測動きベクトルのインデックスを示す情報を復号する復号ステップと、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、所定の条件を満たす前記第１、第２及び第３の予測動きベクトル候補を予測動きベクトル候補リストに登録する予測動きベクトル候補登録ステップと、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、復号された前記選択すべき予測動きベクトルのインデックスを示す情報に基づいて、前記予測動きベクトル候補リストから、前記復号対象ブロックの予測動きベクトルを選択する予測動きベクトル選択ステップとをコンピュータに実行させ、前記予測動きベクトル候補制限ステップは、前記予測動きベクトル候補登録ステップにより生成された前記予測動きベクトル候補リストから所定数を超える予測動きベクトル候補を削除することを特徴とする動画像復号プログラムを提供する。
動画像が符号化された符号化ビット列を受信して復号する受信装置であって、各ピクチャを分割したブロック単位で動きベクトルを用いて動画像が符号化された符号化ビット列がパケット化された符号化データを受信する受信部と、受信された前記符号化データをパケット処理して元の符号化ビット列を復元する復元部と、復元された符号化ビット列から、予測動きベクトル候補リストにおける選択すべき予測動きベクトルのインデックスを示す情報を復号する復号部と、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成部と、所定の条件を満たす前記第１、第２及び第３の予測動きベクトル候補を予測動きベクトル候補リストに登録する予測動きベクトル候補登録部と、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限部と、復号された前記選択すべき予測動きベクトルのインデックスを示す情報に基づいて、前記予測動きベクトル候補リストから、前記復号対象ブロックの予測動きベクトルを選択する予測動きベクトル選択部とを備え、前記予測動きベクトル候補制限部は、前記予測動きベクトル候補登録部により生成された前記予測動きベクトル候補リストから所定数を超える予測動きベクトル候補を削除することを特徴とする受信装置を提供する。
動画像が符号化された符号化ビット列を受信して復号する受信方法であって、各ピクチャを分割したブロック単位で動きベクトルを用いて動画像が符号化された符号化ビット列がパケット化された符号化データを受信する受信ステップと、受信された前記符号化データをパケット処理して元の符号化ビット列を復元する復元ステップと、復元された符号化ビット列から、予測動きベクトル候補リストにおける選択すべき予測動きベクトルのインデックスを示す情報を復号する復号ステップと、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、所定の条件を満たす前記第１、第２及び第３の予測動きベクトル候補を予測動きベクトル候補リストに登録する予測動きベクトル候補登録ステップと、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、復号された前記選択すべき予測動きベクトルのインデックスを示す情報に基づいて、前記予測動きベクトル候補リストから、前記復号対象ブロックの予測動きベクトルを選択する予測動きベクトル選択ステップとを有し、前記予測動きベクトル候補制限ステップは、前記予測動きベクトル候補登録ステップにより生成された前記予測動きベクトル候補リストから所定数を超える予測動きベクトル候補を削除することを特徴とする受信方法を提供する。
動画像が符号化された符号化ビット列を受信して復号する受信プログラムであって、各ピクチャを分割したブロック単位で動きベクトルを用いて動画像が符号化された符号化ビット列がパケット化された符号化データを受信する受信ステップと、受信された前記符号化データをパケット処理して元の符号化ビット列を復元する復元ステップと、復元された符号化ビット列から、予測動きベクトル候補リストにおける選択すべき予測動きベクトルのインデックスを示す情報を復号する復号ステップと、復号対象ブロックと同一ピクチャ内の前記復号対象ブロックと近接する復号済みのブロックのいずれかの動きベクトルから、第１及び第２の予測動きベクトル候補を導出し、復号対象ブロックと異なる復号済みのピクチャ内のブロックのいずれかの動きベクトルから、第３の予測動きベクトル候補を導出する予測動きベクトル候補生成ステップと、所定の条件を満たす前記第１、第２及び第３の予測動きベクトル候補を予測動きベクトル候補リストに登録する予測動きベクトル候補登録ステップと、前記予測動きベクトル候補リストに登録された予測動きベクトル候補の数が所定数（２以上の自然数）よりも小さい場合に、予測動きベクトル候補の数が所定数に達するまで繰り返して（０，０）の値を持つ予測動きベクトル候補を予測動きベクトル候補リストのインデックスが前記予測動きベクトル候補の数に対応する位置に登録する予測動きベクトル候補制限ステップと、復号された前記選択すべき予測動きベクトルのインデックスを示す情報に基づいて、前記予測動きベクトル候補リストから、前記復号対象ブロックの予測動きベクトルを選択する予測動きベクトル選択ステップとをコンピュータに実行させ、前記予測動きベクトル候補制限ステップは、前記予測動きベクトル候補登録ステップにより生成された前記予測動きベクトル候補リストから所定数を超える予測動きベクトル候補を削除することを特徴とする受信プログラムを提供する。